(57)【特許請求の範囲】
【請求項１】
第１ケース体と第２ケース体とを開閉可能に接合して構成された基板ケースの内部に基板を収納してなる遊技機において、
前記第１ケース体と前記第２ケース体とを閉状態で封印する封印手段を前記基板ケースの内部に備え、
該封印手段は、
前記第１ケース体と前記第２ケース体との内、一方のケース体側の内側に、該一方のケース体側に対して離脱可能に設けられたシール貼付体と、
該シール貼付体と前記一方のケース体側とに跨がって貼付され且つ該シール貼付体の前記一方のケース体側からの離脱により損傷する封印シールと、
前記第１ケース体と前記第２ケース体とを閉じた場合に前記封印シールを損傷することなく前記シール貼付体と他方のケース体側とを係合させ且つ前記第１ケース体と前記第２ケース体とを開放した場合に前記シール貼付体を前記一方のケース体側から離脱させる係合手段とを備えた
ことを特徴とする遊技機。
【請求項２】
前記第１ケース体と前記第２ケース体の何れか一方に前記基板を着脱自在に固定し、
該基板に前記シール貼付体又は前記係合手段を備えた
ことを特徴とする請求項１に記載の遊技機。
【請求項３】
前記基板ケースは前記封印シールを外部から視認可能な視認部を有する
ことを特徴とする請求項１又は２に記載の遊技機。
【請求項４】
前記係合手段は前記基板ケースの外部から離脱不能に前記シール貼付体に係合する
ことを特徴とする請求項１〜３の何れかに記載の遊技機。
【請求項５】
前記一方のケース体は前記シール貼付体を仮止めする仮止め部を有する
ことを特徴とする請求項１〜４の何れかに記載の遊技機。
【請求項６】
前記シール貼付体は前記一方のケース体に固定する固定部と、前記封印シールを貼付するシール貼付部との間に仮止め解除用の破断部を有する
ことを特徴とする請求項１〜４の何れかに記載の遊技機。
【請求項７】
前記他方のケース体に前記係合手段を備えた
ことを特徴とする請求項１に記載の遊技機。
【請求項８】
前記シール貼付体に前記係合手段を備え、
前記他方のケース体側に前記係合手段が係合する係合部を備えた
ことを特徴とする請求項１に記載の遊技機。
【請求項９】
前記シール貼付体、前記係合手段を複数個配置し、
前記第１ケース体と前記第２ケース体とを閉じた場合に前記係合手段の何れかが前記シール貼付体の何れかを前記他方のケース体に係合させる
ことを特徴とする請求項１に記載の遊技機。
【発明の詳細な説明】
【技術分野】
【０００１】
本発明は、パチンコ機、スロットマシン等の遊技機に関し、基板を収納する基板ケースを開けたときに内部の封印シールが損傷して痕跡が残るようにしたものである。
【背景技術】
【０００２】
パチンコ機等の遊技機では、各種制御基板等を基板ケースに格納して遊技機本体の裏側等に装着している。一般的な基板ケースは、第１ケース体と第２ケース体とを開閉可能に接合して略箱形となるように構成されている。
【０００３】
この種の遊技機用の基板ケースには、制御基板に対する不正工作を未然に防止するための不正対策として封止手段を備えたものがある。この封止手段には、両ケース体を閉鎖状態で封止した後は損壊しない限り解除できない固着手段と、この固着手段を被覆して両ケース体に貼付された封印シールとを備えたものがある（特許文献１）。
【先行技術文献】
【特許文献】
【０００４】
【特許文献１】特開平０９−２１５８１８号公報
【発明の概要】
【発明が解決しようとする課題】
【０００５】
この封止手段は、封印シールを剥さなければ固着手段を損壊できないため、基板ケースが不正に開封された場合には、固着手段の損壊と封印シールの剥離とによってその事実を把握することができる。
【０００６】
しかし、近年の不正行為者は、特殊な剥離剤を使用して封印シールを損傷することなく剥がして基板ケースを開放し、その後に基板ケースを閉鎖して損壊状態の固着手段を被覆するように封印シールを貼付したり、別の偽封印シールを貼付したりする等、手口が非常に巧妙になり封止効果が低下する傾向にある。また、基板ケースの外部に封印シールを貼付しているため、組み付け、その他の取り扱い時に封印シールを損傷する等の問題もある。
【０００７】
本発明は、このような従来の問題点に鑑み、基板ケースを不正に開放したときには封印シールの損傷によりその事実を容易に把握できる遊技機を提供することにある。
【課題を解決するための手段】
【０００８】
本発明は、第１ケース体８１と第２ケース体８２とを開閉可能に接合して構成された基板ケース３２の内部に基板３１を収納してなる遊技機において、前記第１ケース体８１と前記第２ケース体８２とを閉状態で封印する封印手段８５を前記基板ケース３２の内部に備え、該封印手段８５は、前記第１ケース体８１と前記第２ケース体８２との内、一方のケース体８２側の内側に、該一方のケース体８２側に対して離脱可能に設けられたシール貼付体１０９と、該シール貼付体１０９と前記一方のケース体８２側とに跨がって貼付され且つ該シール貼付体１０９の前記一方のケース体８２側からの離脱により損傷する封印シール１１０と、前記第１ケース体８１と前記第２ケース体８２とを閉じた場合に前記封印シール１１０を損傷することなく前記シール貼付体１０９と他方のケース体８１側とを係合させ且つ前記第１ケース体８１と前記第２ケース体８２とを開放した場合に前記シール貼付体１０９を前記一方のケース体８２側から離脱させる係合手段１１１とを備えたものである。
【０００９】
前記第１ケース体８１と前記第２ケース体８２の何れか一方に前記基板３１を着脱自在に固定し、該基板３１に前記シール貼付体１０９又は前記係合手段１１１を備えてもよい。前記基板ケース３２は前記封印シール１１０を外部から視認可能な視認部を有するものでもよい。
【００１０】
前記係合手段１１１は前記基板ケース３２の外部から離脱不能に前記シール貼付体１０９に係合することもある。前記一方のケース体８２は前記シール貼付体１０９を仮止めする仮止め部１１５を有するものでもよい。前記シール貼付体１０９は前記一方のケース体８２に固定する固定部１２１と、前記封印シール１１０を貼付するシール貼付部との間に仮止め解除用の破断部１２４を有するものでもよい。
【００１１】
前記他方のケース体８１に前記係合手段１１１を備えてもよい。前記シール貼付体１０９に前記係合手段１１１を備え、前記他方のケース体８１側に前記係合手段１１１が係合する係合部１１４を備えてもよい。前記シール貼付体１０９、前記係合手段１１１を複数個配置し、前記第１ケース体８１と前記第２ケース体８２とを閉じたときに前記係合手段１１１の何れかが前記シール貼付体１０９の何れかを前記他方のケース体８１に係合させてもよい。
【発明の効果】
【００１２】
本発明によれば、基板ケースを開放したときには封印シールの損傷によりその事実を容易に把握できる利点がある。
【図面の簡単な説明】
【００１３】
【図１】本発明の第１の実施例を示すパチンコ機の正面図である。
【図２】同遊技盤の背面図である。
【図３】同遊技盤の断面図である。
【図４】同主制御基板ケースの分解斜視図である。
【図５】同主制御基板ケースの一部破断背面図である。
【図６】同封止手段及び封印手段の正面断面図である。
【図７】同封印手段の側面断面図である。
【図８】同封印手段の分解斜視図である。
【図９】本発明の第２の実施例を示す封印手段の正面断面図である。
【図１０】本発明の第３の実施例を示す封印手段の正面断面図である。
【図１１】本発明の第４の実施例を示す封印手段の正面断面図である。
【図１２】同封印手段の分解斜視図である。
【図１３】本発明の第５の実施例を示す封印手段の正面断面図である。
【図１４】同封印手段の分解斜視図である。
【図１５】本発明の第６の実施例を示す封印手段の正面断面図である。
【図１６】同封印手段の分解斜視図である。
【図１７】本発明の第７の実施例を示す封印手段の正面断面図である。
【図１８】同封印手段の側面断面図である。
【図１９】本発明の第８の実施例を示す封印手段の側面断面図である。
【図２０】本発明の第９の実施例を示す封印手段の正面断面図である。
【図２１】本発明の第１０の実施例を示す封印手段の正面断面図である。
【図２２】同封印手段の側面断面図である。
【図２３】本発明の第１１の実施例を示す封印手段の正面断面図である。
【図２４】同封印手段の側面断面図である。
【図２５】同封印手段の分解斜視図である。
【発明を実施するための形態】
【００１４】
以下、本発明の実施形態を図面に基づいて詳述する。図１〜図８は本発明をパチンコ機として具現化した第１の実施形態を示す。図１において、遊技機本体１は、矩形枠状の外枠２と、この外枠２の前側に配置された前枠３とを備えている。前枠３は左端側の上下一対のヒンジ４を介して外枠２に着脱及び開閉自在に装着されている。
【００１５】
前枠３の上部側には遊技盤５が着脱自在に装着されると共に、遊技盤５の前側にガラス扉６が、ガラス扉６の下側に隣接して前面板７が夫々配置されている。ガラス扉６、前面板７はヒンジ４と同一側のヒンジ（図示省略）により前枠３に開閉自在に枢支されている。前面板７には発射用の遊技球を貯留する上皿８が装着されている。また前枠３の下部には、余剰球を貯留する下皿９と、発射手段１０の発射ハンドル１１とが夫々設けられている。
【００１６】
遊技盤５の前側には、発射手段１０によって発射された遊技球を案内するガイドレール１２が環状に装着されると共に、そのガイドレール１２内の遊技領域１３の上部側に、表示窓１４を有する表示枠１５が装着され、また表示枠１５の下側に特別図柄始動手段１６、大入賞手段１７、普通入賞手段１８等が、表示枠１５の一側方に普通図柄始動手段１９が夫々配置されている。
【００１７】
遊技盤５の裏側には、図２及び図３に示すように、表示枠１５の表示窓１４に対応して配置され且つ固定板２２により遊技盤５に固定された液晶表示パネル２０、この液晶表示パネル２０を固定板２２と共に裏側から覆う保護カバー２３、この保護カバー２３の下側に近接して遊技盤５に固定された集球ケース２４、保護カバー２３の裏側の収容凹部２６内に配置されたドライバ基板２１及び電源インターフェース基板２７、演出制御基板２８を収容し且つ収容凹部２６を裏側から塞ぐように保護カバー２３の裏側に着脱自在に固定された演出制御基板ケース２９、集球ケース２４内に配置された中継基板３０、主制御基板３１を収容し且つ集球ケース２４の裏側に着脱自在に固定された主制御基板ケース３２等が設けられている。
【００１８】
表示枠１５は、遊技盤５の前面側に当接して装着されたベース板３３と、ベース板３３の前面に固定され前側に突出する飾り部３４と、飾り部３４の下部側に形成されたステージ部３５と、ベース板３３、飾り部３４等の内周から後方に屈曲する窓枠部３６と、窓枠部３６の後端側に装着された透明な窓板３７とを備えている。
【００１９】
窓枠部３６は遊技盤５の開口３８に前側から嵌合され、その後端部側が、窓板３７を介して液晶表示パネル２０の表示画像を視認可能な表示窓１４となっている。ステージ部３５は飾り部３４の一側の球入り口３９から入った遊技球をその下側の落下口４０へと案内するためのもので、窓板３７と同様に透明に形成されている。
【００２０】
液晶表示パネル２０は偏平な横長矩形状に構成されており、演出制御基板２８の制御により、ドライバ基板２１を介して駆動され、特別図柄始動手段１６の遊技球の検出を条件に所定時間変動して大当たり図柄、外れ図柄の何れかで停止する１個又は複数個の演出図柄の変動画像、大当たり発生時の演出画像等の各種の画像を表示可能である。液晶表示パネル２０は、板金製の固定板２２の前面側に装着された状態で、その前面が窓板３７の後側に近接又は当接するように、固定板２２を介して遊技盤５の裏側に固定されている。
【００２１】
保護カバー２３は、前側が開放した背面視略矩形状の箱形に形成されており、その前側を液晶表示パネル２０及び固定板２２で略塞ぐように、例えば固定板２２の裏側に着脱自在に固定されている。保護カバー２３には、その背壁部４１から前向きに固定基部４２が複数突設されており、この固定基部４２が固定板２２の背面側にネジ止め等により着脱自在に固定されている。
【００２２】
また保護カバー２３には、背壁部４１の上縁部及び左右の側縁部に沿って周壁部４３が後ろ向き突出状に一体形成されており、背壁部４１の後側で且つ周壁部４３により三方を取り囲まれた領域が収容凹部２６となっている。この収容凹部２６内には、液晶表示パネル２０駆動用の電源インターフェース基板２７とドライバ基板２１とが左右に隣接して配置され、背壁部４１に着脱自在に固定されている。なお、ドライバ基板２１は、収容凹部２６内に収容され且つ背壁部４１に対して着脱自在に固定される基板カバー４４により後側から覆われている。
【００２３】
中継基板３０は、遊技盤５側の特別図柄始動手段１６、大入賞手段１７等の検出スイッチ、ソレノイドその他の電気部品と、演出制御基板２８、主制御基板３１等との接続を中継するためのもので、特別図柄始動手段１６、大入賞手段１７の裏側で保護カバー２３の下側に配置された取り付け台４５に裏側から着脱自在に固定されている。
【００２４】
取り付け台４５は遊技盤５と略平行に配置されており、上側が保護カバー２３の下側の支持台４６に着脱自在に係止され、下側の左右一対の取り付け脚部４７がネジ等の固定具を介して遊技盤５に着脱自在に固定されている。
【００２５】
集球ケース２４は大入賞手段１７、特別図柄始動手段１６、普通入賞手段１８等に入賞して遊技盤５の裏側に通過した遊技球を集めて案内口４８から回収通路（図示省略）側へと案内するためのもので、図４等に示すように、上面側と前面側とが開放した略箱形に形成されており、保護カバー２３の下側に近接して配置され、遊技盤５の裏側に着脱自在に固定されている。
【００２６】
演出制御基板２８は、液晶表示パネル２０に表示される特別遊技図柄を制御する特別図柄表示制御機能、液晶表示パネル２０に表示される各種演出画像を制御する画像演出制御機能、各種表示ランプの点滅等を制御するランプ演出制御機能、スピーカからの音声を制御する音声演出制御機能等を有し、第１ケース体５１と第２ケース体５２とで構成される演出制御基板ケース２９内に収容されている。
【００２７】
演出制御基板ケース２９は、保護カバー２３の裏側の基板カバー４４、電源インターフェース基板２７等の後側を覆う覆いを兼用しており、保護カバー２３側の周壁部４３の後端面を取り付け面として、収容凹部２６を後側から略塞ぐように着脱自在に装着されている。
【００２８】
主制御基板３１は、遊技盤５側の遊技部品による遊技動作を制御する遊技動作制御機能を有し、主制御基板ケース（基板ケース）３２に収容されている。主制御基板ケース３２は基板ケース装着板６０の裏側に着脱自在に装着されている。
【００２９】
基板ケース装着板６０は、図４等に示すように、略矩形板状の装着板本体６１と、この装着板本体６１の所定の縁部、例えば左縁部に沿って配置される中継基板収容部６２と、その中継基板収容部６２とは反対側の縁部、例えば右縁部側に配置される締結つまみ６３とを備え、集球ケース２４の後壁部６４側に形成された開口６５を略塞ぐように、下部側の左右一対のヒンジ手段６６と、上部側の左右一対の係合爪６７とにより、集球ケース２４の裏側に開閉、着脱自在に固定されている。
【００３０】
ヒンジ手段６６は、集球ケース２４の裏側下端部に一体に設けられたヒンジピン６８と、基板ケース装着板６０の下端に設けられた前後一組のヒンジ爪６９とを備えている。ヒンジピン６８は上下両側が偏平で、その左右両端が集球ケース２４から後方に突出する突部により一体に連結されている。
【００３１】
前後一組のヒンジ爪６９は、両者でヒンジピン６８を相対回動自在に抱き込むように構成され、また前後一組のヒンジ爪６９の先端側は、その先端側を偏平部分に合わせたときにヒンジピン６８に対して相対的に嵌脱できるようになっている。係合爪６７は集球ケース２４の上端部側の左右両側に設けられ、基板ケース装着板６０を閉状態にしたときに、基板ケース装着板６０に係脱自在に係合するようになっている。
【００３２】
装着板本体６１は、その背面側で且つ中継基板収容部６２と締結つまみ６３との間が主制御基板ケース３２を装着するための基板ケース装着面６１ａとなっており、その基板ケース装着面６１ａの外周部に沿って、主制御基板ケース３２を支持する支持枠７０が後ろ向きの所定高さに突設されている。
【００３３】
中継基板収容部６２は、中継基板７１を収容するもので、中継基板７１の外周を取り囲むように装着板本体６１から後ろ向きに突設される周壁部７２と、中継基板７１の後側を略覆うように周壁部７２の後側に着脱自在に装着されるカバー板７３とで構成されている。
【００３４】
周壁部７２には、基板ケース装着面６１ａ側に、主制御基板ケース３２側の係合突部７４が係脱自在に係合する係合孔７５が形成されている。またカバー板７３には、中継基板７１側のコネクタを露出させるためのコネクタ孔７３ａが形成されている。締結つまみ６３は、装着板本体６１の背面側に回転軸６３ａにより揺動自在に装着されており、主制御基板ケース３２側の被締結部７６に係脱自在に係合可能となっている。
【００３５】
主制御基板ケース３２は、図３、図４に示すように、主制御基板３１を表裏両側から挟む第１ケース体８１及び第２ケース体８２と、主制御基板ケース３２の長手方向の一端側に設けられ且つ第１ケース体８１及び第２ケース体８２を係脱、開閉自在に結合するヒンジ手段８３と、主制御基板ケース３２の長手方向の他端側に設けられ且つ第１ケース体８１及び第２ケース体８２を閉鎖状態で封止可能な封止手段８４と、封止手段８４の近傍で主制御基板ケース３２の内部に設けられ且つ第１ケース体８１及び第２ケース体８２を閉鎖状態で内側から封印可能な封印手段８５とを備え、左右方向に長い矩形箱形に形成されている。
【００３６】
第１ケース体８１は、略矩形板状の底壁８６と、この底壁８６の外周に沿って基板収容部３２ａ側に突設される外周枠８７と、主制御基板ケース３２内の空間を、例えば右側の基板収容部３２ａと左側の封止収容部３２ｂとに仕切るように底壁８６に立設される仕切り板８８とを一体に備え、その底壁８６が主制御基板ケース３２を基板ケース装着板６０に装着する装着面となっている。基板収容部３２ａは主制御基板３１を収容可能であり、封止収容部３２ｂは封止手段８４を収容可能である。
【００３７】
なお、外周枠８７及び仕切り板８８の基板収容部３２ａ側には、主制御基板３１を底壁８６から一定の隙間を空けた位置で支持する支持リブ８９が複数設けられている。また第１ケース体８１の底壁８６には、図５、図６に示すように、封止収容部３２ｂに対応して損壊用開口部９０が形成されている。
【００３８】
更に第１ケース体８１には、例えば右端側に基板ケース装着板６０側の締結つまみ６３に対応する被締結部７６が外向き突出状に一体形成されている。この被締結部７６は第２ケース体８２側に設けてもよい。
【００３９】
第２ケース体８２は第１ケース体８１側が開放する略矩形蓋状であって、第１ケース体８１側の底壁８６に対向する天板９１と、その天板９１の外周に沿って基板収容部３２ａ側に突設され且つ第１ケース体８１側の外周枠８７の外側に嵌合する周壁部９２とを一体に備え、天板９１には主制御基板３１の表面側に設けられた電子部品に対応する中央部分に膨出部９１ａが、その周辺部、例えば上縁部及び下縁部に凹部９１ｂが夫々形成されている。
【００４０】
凹部９１ｂは主制御基板３１の表面に当接又は近接し、その凹部９１ｂには主制御基板３１側のコネクタを露出させるためのコネクタ孔９５が形成されている。主制御基板３１は第２ケース体８２内で凹部９１ｂに当接してネジ（図示省略）により着脱自在に固定され、主制御基板ケース３２の基板収容部３２ａ内に配置されている。なお、主制御基板３１は第１ケース体８１に固定してもよいし、第１ケース体８１と第２ケース体８２とで表裏両側から挟持するだけでもよい。
【００４１】
ヒンジ手段８３は、第１ケース体８１における基板収容部３２ａ側の端部、例えば右端部に一体に形成された上下一対のヒンジピン８３ａと、このヒンジピン８３ａに対応して第２ケース体８２の一端側、例えば右端側に一体に形成され且つヒンジピン８３ａに係脱、回動自在に係合する上下一対の係合片８３ｂとで構成されている。
【００４２】
係合片８３ｂは、第２ケース体８２の右周壁部９２ａから外向きに突設されており、第１ケース体８１側の外周枠８７とヒンジピン８３ａとの間からヒンジピン８３ａに対して係脱自在であり、その係合状態でヒンジピン８３ａを前側から抱き込むように、前側に突出するＵ字状その他の円弧状に湾曲形成されている。
【００４３】
更に第２ケース体８２には、例えば左端側に基板ケース装着板６０側の係合孔７５に対応する係合突部７４が外向き突出状に一体形成されている。主制御基板ケース３２を基板ケース装着板６０に装着する際には、第１ケース体８１の底壁８６を基板ケース装着板６０の基板ケース装着面６１ａに沿わせながら第２ケース体８２側の係合突部７４を係合孔７５に嵌合させ、更に締結つまみ６３を回して第１ケース体８１側の被締結部７６に係合させる。なお、係合突部７４は第１ケース体８１側に設けてもよい。
【００４４】
封止手段８４は、主制御基板ケース３２におけるヒンジ手段８３とは反対側の開閉端側、例えば左端側の封止収容部３２ｂに対応して幅方向に一列状に複数個（ここでは４個）配置され、それら４個の封止手段８４により最大４回までの封止、開封が可能となっている。各封止手段８４は、図５、図６に示すように、第２ケース体８２の天板９１と、その天板９１の内面側、即ち封止収容部３２ｂ側に固着された封止板１０１と、第１ケース体８１側の例えば外周枠８７の内側に突設された離脱防止板１０２とに跨がって設けられている。
【００４５】
各封止手段８４は、離脱防止板１０２に形成された孔状の離脱防止部１０３と、離脱防止板１０２に当接して離脱防止部１０３に対応する封止部１０４と、封止部１０４側から離脱防止部１０３へと貫通して両者を分離不能に封止する封止ピン１０５と、封止部１０４を封止板１０１に一体に接続する損壊部１０７と、第２ケース体８２の外側から封止ピン１０５を結合方向に押圧操作するための封止用開口部１０８とを備えている。
【００４６】
そして、この封止手段８４では、通常は封止部１０４内の封止ピン１０５を離脱状態に保持しておき、封止用開口部１０８から適宜工具を挿入して封止ピン１０５を下方に押圧したときに、封止ピン１０５の係合部が離脱防止部１０３に係合して第１ケース体８１と第２ケース体８２とを閉鎖状態で封止する。また封止を解除する場合には、第１ケース体８１の底壁８６に形成された損壊用開口部９０から切断具を挿入して損壊部１０７を切断する。なお、損壊部１０７を切断した後の封止部１０４は、離脱防止部１０３に係合する封止ピン１０５を介して離脱防止板１０２側に結合されたままである。
【００４７】
封印手段８５は、図５〜図８に示すように、第２ケース体８２の天板９１の内側に仮止めされたシール貼付体１０９と、このシール貼付体１０９と第２ケース体８２の天板９１の内面とに跨がって貼付された封印シール１１０と、第１ケース体８１側の内側に設けられた係合手段１１１とを備え、基板収容部３２ａ内で仕切り板８８の近傍に近接して設けられている。
【００４８】
シール貼付体１０９は封印シール１１０を貼付する貼付部１１２と、この貼付部１１２の一端に仕切り板８８側に屈曲して設けられ且つ第２ケース体８２の天板９１に当接する当接部１１３と、貼付部１１２の他端端に仕切り板８８側に屈曲して設けられた係合部１１４とを有し、略コ字状に構成されている。貼付部１１２は第２ケース体８２の天板９１に対して略垂直であり、この貼付部１１２と第２ケース体８２の天板９１とに跨がって封印シール１１０が粘着剤等を介して剥離可能に貼付されている。
【００４９】
当接部１１３は１個又は２個の仮止め孔１１３ａを有し、また第２ケース体８２の天板９１には、この仮止め孔１１３ａに対応して突起状の仮止め部１１５が設けられている。そして、シール貼付体１０９は仮止め部１１５を仮止め孔１１３ａに挿入することにより、両者間の摩擦によって第２ケース体８２に仮止めできるようになっている。なお、仮止め孔１１３ａ、仮止め部１１５は１個でもよいし、２個以上の複数個でよい。
【００５０】
係合部１１４は係合孔１１４ａを有し、第１ケース体８１の底壁８６には、この係合孔１１４ａに対応して係合手段１１１が突設されている。係合手段１１１は両ケース体８１，８２を閉鎖したときにシール貼付体１０９の係合部１１４に係合して外部から離脱不能であり、しかも両ケース体８１，８２を開放したときにシール貼付体１０９を第２ケース体８２側から離脱させるようになっている。
【００５１】
この係合手段１１１は第１ケース体８１の底壁８６に固定された支持部１１１ａと、この支持部１１１ａから突出し且つ係脱方向に弾性を有する一対の係合爪１１１ｂとを備え、第１ケース体８１と第２ケース体８２とをヒンジ手段８３を支点として閉鎖方向に相対的に回動させたときに係合爪１１１ｂの先端が係合孔１１４ａに挿入されて弾性変形し、第１ケース体８１と第２ケース体８２とが閉鎖状態となったときに係合爪１１１ｂが係合部１１４に内周側から係合する。支持部１１１ａは第１ケース体８１の底壁８６に位置決めして接着、融着その他の固着手段により底壁８６に固着されている。係合手段１１１、仮止め部１１５及び係合部１１４は、第２ケース体８２の天板９１に対して略垂直な同一平面上に略位置するように配置されている。
【００５２】
なお、シール貼付体１０９の係合部１１４は主制御基板３１よりも第２ケース体８２側に位置し、また主制御基板３１には係合手段１１１に対応して切り欠き部３１ａが設けられている。切り欠き部３１ａは封印手段８５に対応して設けてもよい。
【００５３】
両ケース体８１，８２は、主制御基板ケース３２の内部を外側から視認できるように透明な合成樹脂材料により構成されている。これにより、主制御基板ケース３２が基板ケース装着板６０に装着された状態でも、主制御基板３１、封止手段８４、封印手段８５の状態を外側から容易に確認できる。従って、透明な両ケース体８１，８２の内、封印シール１１０を視認可能な部分によって、主制御基板ケース３２の外部から封印シール１１０を視認可能な視認部が構成されている。
【００５４】
上記構成のパチンコ機において、主制御基板ケース３２内に主制御基板３１を収納する場合には、先ず第２ケース体８２の天板９１の仮止め部１１５をシール貼付体１０９の当接部１１３の仮止め孔１１３ａに挿入して、当接部１１３が第２ケース体８２の天板９１の裏側に当接した状態でシール貼付体１０９を第２ケース体８２に仮止めする。次にシール貼付体１０９の貼付部１１２と第２ケース体８２の天板９１とに跨がってＬ字状に封印シール１１０を貼付する。その後、主制御基板３１を第２ケース体８２側に収めてネジ等で固定する。このとき主制御基板３１と第２ケース体８２の天板９１との間隔がシール貼付体１０９の突出高さよりも小であるため、主制御基板３１が第２ケース体８２の天板９１に仮止め状態のシール貼付体１０９と干渉することはない。
【００５５】
次に第２ケース体８２の係合片８３ｂを第１ケース体８１のヒンジピン８３ａに係合し、そのヒンジ手段８３を支点として第１ケース体８１と第２ケース体８２とを相対回動させながら両ケース体８１，８２を閉鎖する。このとき両ケース体８１，８２が閉鎖状態になる前に、第１ケース体８１の底壁８６から突出する係合手段１１１の係合爪１１１ｂの先端がシール貼付体１０９の係合部１１４の係合孔１１４ａに対応し、その後両ケース体８１，８２の相対回動に伴って係合爪１１１ｂが係合孔１１４ａへと挿入されて行く。そして、両ケース体８１，８２が閉鎖状態となった時点で、係合手段１１１がシール貼付体１０９の係合部１１４に係合する。
【００５６】
係合爪１１１ｂが係合孔１１４ａ内に進入するときに、係合爪１１１ｂがシール貼付体１０９を第２ケース体８２の天板９１側へと略垂直方向に押圧するが、シール貼付体１０９の当接部１１３が天板９１に当接しており、また仮止め部１１５と係合部１１４が第２ケース体８２の天板９１に略垂直な略同一平面上にあるため、仮止め状態のシール貼付体１０９が倒れるようなことはない。従って、係合手段１１１をシール貼付体１０９に容易且つ確実に係合させることが可能である。
【００５７】
両ケース体８１，８２が主制御基板３１を表裏両側から挟んだ閉鎖状態になれば、４つの封止手段８４のうちの１個を用いて両ケース体８１，８２を閉鎖状態で封止する。これによって主制御基板ケース３２を封止手段８４により閉鎖状態で封止できると共に、封印手段８５により封印できる。その後、主制御基板ケース３２の装着面８６ａを基板ケース装着板６０の基板ケース装着面６１ａに沿わせながら係合突部７４を係合孔７５に係合させ、更に基板ケース装着板６０側の締結つまみ６３を回して主制御基板ケース３２側の被締結部７６に係合させることにより、主制御基板ケース３２の装着作業は完了する。
【００５８】
この状態では、損壊用開口部９０が基板ケース装着板６０により外側から覆われているため、そのままではニッパー等を封止収容部３２ｂ内に挿入できず、従って損壊部１０７を切断して主制御基板ケース３２を開封することはできない。
【００５９】
主制御基板ケース３２を開封する場合には、締結つまみ６３による締結を解除して主制御基板ケース３２を基板ケース装着板６０から取り外して損壊用開口部９０を開放し、封止状態の封止手段８４に対応する損壊部１０７を切断することにより行う。そして、封止を解除した後に、両ケース体８１，８２をヒンジ手段８３廻りに回動させながら開放する。
【００６０】
このとき第１ケース体８１の係合手段１１１がシール貼付体１０９に係合状態であるため、係合手段１１１を介してシール貼付体１０９が第１ケース体８１と一体に移動するため、第２ケース体８２の天板９１に仮止め状態のシール貼付体１０９が第２ケース体８２の天板９１から分離して、シール貼付体１０９と第２ケース体８２の天板９１とに跨がって貼着されていた封印シール１１０が必ず破れることとなる。
【００６１】
正規に主制御基板ケース３２を開放した場合には、係合手段１１１の係合爪１１１ｂをシール貼付体１０９の係合部１１４から離脱し、破れた封印シール１１０をシール貼付体１０９及び第２ケース体８２から剥がした後、仮止め部１１５を介してシール貼付体１０９を第２ケース体８２に仮止めし、別の封印シール１１０をシール貼付体１０９及び第２ケース体８２に跨がって貼付する。そして、両ケース体８１，８２を閉鎖状態にすれば、係合手段１１１がシール貼付体１０９に係合して封印できるので、次に未使用の封止手段８４を用いて再度封止し、その後に主制御基板ケース３２を基板ケース装着板６０に取り付ければよい。
【００６２】
このように主制御基板ケース３２の内部に封印手段８５があり、両ケース体８１，８２を開放したときにその封印シール１１０が必ず破れるようにすることによって、その封印シール１１０の状態から不正行為の有無を容易に把握することができる。また封印手段８５が主制御基板ケース３２の内部にあり、両ケース体８１，８２を開放すれば封印シール１１０が必ず破れるので、剥離剤を使用して封印シール１１０を剥離して開封し、その後、封印シール１１０を再度貼付して開放の事実を隠蔽するようなこともできない。更に、封印手段８５が主制御基板ケース３２の内部にあるため、主制御基板ケース３２の取り扱い時に誤って封印シール１１０を損傷する惧れもない。
【００６３】
また仮に主制御基板ケース３２を不正に開放した後、破れた封印シール１１０を剥がし新しい封印シール１１０と交換する等の隠蔽工作を講じるとしても、係合手段１１１からシール貼付体１０９を外して破れた封印シール１１０を剥がし、その後にシール貼付体１０９を第２ケース体８２に仮止めして新しい封印シール１１０を貼付し、係合手段１１１をシール貼付体１０９に係合する等、封印手段８５による封印を行い、その後、未使用の封止手段８４で封止するため、従来に比較して手間と時間を要し、その作業を遊技ホール内で他人の目を盗んで短時間で行うことは困難である。
【００６４】
図９は本発明の第２の実施形態を例示する。図９（Ａ）のシール貼付体１０９は、一対の側壁部１１６の両端間に当接部１１３と係合部１１４とが設けられた角筒状であり、その一方の側壁部１１６が貼付部１１２となっている。図９（Ｂ）のシール貼付体１０９は、当接部１１３の一端側から貼付部１１２及び係合部１１４が円弧状に湾曲して設けられている。その他の構成は第１の実施形態と略同様である。
【００６５】
この実施形態に例示するようにシール貼付体１０９は、このシール貼付体１０９と第２ケース体８２の天板９１とに跨がって封印シール１１０を貼付できる構造であれば角筒状でもよいし、貼付部１１２から係合部１１４へと円弧状に湾曲する形状でもよい。従って、シール貼付体１０９は、主制御基板３１に装着された電子部品、その他の周辺の条件を考慮して適宜構造を採用することが可能である。
【００６６】
図１０は本発明の第３の実施形態を例示する。主制御基板３１は第１ケース体８１の底壁８６側にネジ等で着脱自在に固定されており、この主制御基板３１に係合手段１１１の基部がネジ１１８等で固定されている。主制御基板３１は仕切り板８８側の支持リブ８９等により係合手段１１１の近傍で反対側から支持されている。他の構成は第１の実施形態と略同様である。
【００６７】
このように第１ケース体８１側に係合手段１１１を設けるに当たっては、主制御基板３１を利用して、その主制御基板３１にネジ１１８等で係合手段１１１の基部側を固定してもよい。この場合には、第１ケース体８１の底壁８６に係合手段１１１を融着等で固定する場合に比較して容易に製作できる利点がある。
【００６８】
図１１、図１２は本発明の第４の実施形態を例示する。シール貼付体１０９は第２ケース体８２の天板９１に対して略垂直に配置された板状であって、封印シール１１０を貼付する貼付部１１２と反対側に倒れ防止部１１２ａを有し、また第１ケース体８１側の端部に貫通状に形成された係合部１１４を有する。第２ケース体８２の仮止め部１１５はシール貼付体１０９の端部が挿入されるコ字状であり、シール貼付体１０９の端部を板厚方向の両側から挟んで仮止めするようになっている。なお、この実施形態では、コ字状の仮止め部１１５が相対向して配置され、その仮止め部１１５の貼付部１１２に封印シール１１０が貼付されている。係合手段１１１の一対の係合爪１１１ｂは、第１ケース体８１の底壁８６に一体に設けられており、シール貼付体１０９の係合部１１４に板厚方向の両側から係合するようになっている。その他の構成は第１の実施形態と同様である。
【００６９】
このようにシール貼付体１０９を板状に構成することもできる。この場合、係合手段１１１は一対の係合爪１１１ｂがシール貼付体１０９の係合部１１４に対して板厚方向の両側から係合するように構成することによって、係合手段１１１が係合するときのシール貼付体１０９の倒れ等を容易に防止できる。
【００７０】
図１３、図１４は本発明の第５の実施形態を例示する。シール貼付体１０９は第２ケース体８２の天板９１に対して略垂直に配置された板状であって、封印シール１１０を貼付する貼付部１１２の両側に、仮止め部１１５が挿入される仮止め凹部１２０が形成され、その仮止め凹部１２０の外周側の円筒部１２０ａの端面が第２ケース体８２の天板９１に当接している。シール貼付体１０９には第４の実施形態と同様に係合部１１４が設けられている。係合手段１１１は第１ケース体８１側の主制御基板３１にネジ１１８により固定されている。一対の係合爪１１１ｂはシール貼付体１０９の係合部１１４に板厚方向の両側から係合するようになっている。その他の構成は第３又は第４の実施形態と同様である。
【００７１】
このように仮止め凹部１２０の外周の円筒部１２０ａを板厚方向の両側に突出する形状にする等、シール貼付体１０９の板厚方向に所定の幅を持たせることによって、仮止め状態でのシール貼付体１０９の倒れを防止してもよい。
【００７２】
図１５、図１６は本発明の第６の実施形態を例示する。シール貼付体１０９は全体として略Ｌ字状に屈曲しており、その一方側が第２ケース体８２の天板９１に当接する当接部１１３であり、他方側が貼付部１１２及び係合部１１４となっている。当接部１１３は貼付部１１２と反対側の端部に固定部１２１を備え、その固定部１２１が第２ケース体８２の天板９１の突部１２２に套嵌され、その突部１２２に螺合するネジ１２３により着脱自在に固定されている。当接部１１３には固定部１２１と貼付部１１２との間に、Ｖ字状の切り込み、ミシン目により形成された破断部１２４が設けられている。係合手段１１１は第４の実施形態と同様に第１ケース体８１の底壁８６に一体に形成されている。他の構成は各実施形態と同様である。
【００７３】
この場合には、シール貼付体１０９はその固定部１２１が第２ケース体８２に固定されている。そして、両ケース体８１，８２を開放した場合には、係合手段１１１、係合部１１４を介してシール貼付体１０９の貼付部１１２側が引っ張られるため、シール貼付体１０９の破断部１２４が破断して貼付部１１２が第２ケース体８２から分離する。これによって主制御基板ケース３２を開放すれば、必ず封印シール１１０を破断することができる。
【００７４】
なお、係合手段１１１がシール貼付体１０９の係合部１１４に係合するときに、シール貼付体１０９が第２ケース体８２側に押圧されるが、第２ケース体８２の天板９１に当接する当接部１１３の中間に破断部１２４があるため、係合手段１１１の係合時にシール貼付体１０９が破断するようなことはない。
【００７５】
なお、正規に開封した後の主制御基板ケース３２を再度閉鎖する場合には、破断後のシール貼付体１０９の固定部１２１側を取り除き、新しいシール貼付体１０９と交換すればよい。
【００７６】
図１７、図１８は本発明の第７の実施形態を例示する。シール貼付体１０９は当接部１１３側に破断部１２４を有し、その破断部１２４は当接部１１３の幅方向の中央部の所定範囲に形成されており、破断部１２４の両側には切り込み部１２４ａが設けられている。シール貼付体１０９の係合部１１４、第１ケース体８１側の係合手段１１１は、破断部１２４を通り且つ第２ケース体８２の天板９１に略垂直な平面上又はその近傍に設けられている。係合部１１４はシール貼付体１０９に形成された係合孔１１４ａを有し、また係合手段１１１は第１ケース体８１の底壁８６に固着された一対の係合爪１１１ｂを有する。他の構成は各実施形態と同様である。
【００７７】
このように破断部１２４の長さをシール貼付体１０９の幅よりも短くしてもよい。また破断部１２４を通り且つ第２ケース体８２の天板９１に略垂直な平面上又はその近傍に係合部１１４、係合手段１１１を設けることにより、両ケース体８１，８２に開放方向に外力を加えたときに、その外力が直接破断部１２４に加わることとなるため、破断部１２４を比較的容易に破断することができる。
【００７８】
図１９は本発明の第８の実施形態を例示する。この実施形態では、破断部１２４の長手方向の一端側に係合部１１４、係合手段１１１が配置されている。他の構成は第６又は第７の実施形態と同様である。
【００７９】
このように係合部１１４、係合手段１１１を破断部１２４の長手方向の一端側に配置することにより、両ケース体８１，８２を開放する際に、長手方向の一端側から破断部１２４を順次破断することができ、破断部１２４の長手方向の略中央に係合手段１１１等を配置する場合に比較して容易に破断部１２４を破断することができる。
【００８０】
図２０は本発明の第９の実施形態を例示する。この実施形態では、シール貼付体１０９は第１ケース体８１に固定された主制御基板３１に仮止めされ、その貼付部１１２と主制御基板３１とに跨がって封印シール１１０が貼付されている。シール貼付体１０９は主制御基板３１に当接する当接部１１３に仮止め突起１１３ａを有し、その仮止め突起１１３ｂを主制御基板３１の孔状の仮止め部１１５に挿入して仮止めするようになっている。係合手段１１１はシール貼付体１０９の係合部１１４の係合孔１１４ａに着脱自在に係合する一対の係合爪１１１ｂを有し、第２ケース体８２の天板９１に設けられている。他の構成は各実施形態と同様である。
【００８１】
このようにシール貼付体１０９を第１ケース体８１側に固定の主制御基板３１に仮止めしてもよい。この場合には、主制御基板３１に形成された孔等を仮止め部１１５として利用できる。
【００８２】
図２１、図２２は本発明の第１０の実施形態を例示する。この実施形態では、第２ケース体８２側のシール貼付体１０９に係合手段１１１が設けられている。この係合手段１１１はシール貼付体１０９の貼付部１１２に一体に設けられた一対の係合爪１１１ｂを有し、その係合爪１１１ｂが第１ケース体８１側の係合部１１４、例えば主制御基板３１に設けられた孔状の係合部１１４に係合するようになっている。他の構成は各実施形態と同様である。
【００８３】
このように第２ケース体８２側に仮止めされたシール貼付体１０９側に係合手段１１１を設け、その係合手段１１１が第１ケース体８１側の係合部１１４に係合するように構成してもよい。その場合の係合部１１４は主制御基板３１に設けてもよいし、第１ケース体８１の底壁８６から突出する係合板等に設けてもよい。
【００８４】
図２３〜図２５は本発明の第１１の実施形態を例示する。この実施形態では、シール貼付体１０９、封印シール１１０、係合手段１１１、係合部１１４が複数個、例えば封印手段８５と同数の４個設けられている。
【００８５】
シール貼付体１０９は貼付部１１２と当接部１１３とをＬ字状に備え、その隅部が第２ケース体８２の天板９１の内側に固定された取り付け板１２５に破断部１２４を介して屈曲自在に一体に成型されている。そして、このシール貼付体１０９は破断部１２４を支点として、貼付部１１２が第２ケース体８２の天板９１に沿って倒れた倒れ状態と、貼付部１１２が第２ケース体８２の天板９１に対して略垂直に起立した起立状態との間で姿勢変更可能である。
【００８６】
シール貼付体１０９は貼付部１１２に一体の係合爪１１１ｂと、第２ケース体８２の天板９１側に設けられ且つ係合爪１１１ｂ間に挿脱自在に挿入される仮止め突起１２６とによって倒れ状態に保持され、取り付け板１２５の仮止め部１１５と、当接部１１３の先端に設けられ且つ仮止め部１１５に係脱自在に係合する仮止め係合部１１３ｃとによって起立状態に保持されている。なお、シール貼付体１０９を各状態に仮止めする仮止め手段は他の構造でもよい。貼付部１１２と第２ケース体８２の天板９１とに跨がって封印シール１１０が貼付されている。
【００８７】
係合手段１１１はシール貼付体１０９を起立状態にして両ケース体８１，８２を閉鎖したときにその係合爪１１１ｂが第１ケース体８１側の係合板１２７の係合部１１４に係合可能である。係合板１２７には各係合手段１１１に対応する位置に孔状の各係合部１１４が設けられている。他の構成は各実施形態と同様である。
【００８８】
このようにすれば、封止手段８４と同様に封印手段８５により最大４回の封印が可能である。各封印手段８５のシール貼付体１０９は貼付部１１２が第２ケース体８２の天板９１に沿って倒れた倒れ状態にあり、その各シール貼付体１０９の貼付部１１２と第２ケース体８２の天板９１とに跨がって封印シール１１０が貼付されている。
【００８９】
主制御基板ケース３２の封印に際しては、４個の封印手段８５の何れかを使用する。この場合、破断部１２４の屈曲により何れかのシール貼付体１０９を起立状態に回動させて、その当接部１１３を仮止め係合部１１３ｃに係合させる。これによってシール貼付体１０９が起立状態に保持される。そして、その後に両ケース体８１，８２を閉鎖すると、シール貼付体１０９の先端の係合爪１１１ｂが係合板１２７の係合部１１４に係合することにより、両ケース体８１，８２を閉鎖状態で封印することができる。このとき他のシール貼付体１０９は第２ケース体８２の天板９１に沿った倒れ状態にあるため、これが両ケース体８１，８２の閉鎖の邪魔になるようなことはない。
【００９０】
両ケース体８１，８２を開放するときには、係合手段１１１を介してシール貼付体１０９が引っ張られるので、破断部１２４が破断して封印シール１１０が破れる。以下、未使用の各封印手段８５を順次使用することにより最大４回までの封印が可能である。
【００９１】
以上、本発明の実施形態について詳述したが、本発明はこれらの実施形態に限定されるものではなく、本発明の趣旨を逸脱しない範囲で種々の変更が可能である。例えば、実施形態では、主制御基板ケース３２内を、仕切り板８８により基板収容部３２ａと封止収容部３２ｂとに仕切った例を示したが、必ずしも基板収容部３２ａと封止収容部３２ｂとを区切る必要はなく、基板収容部３２ａと封止収容部３２ｂとを一体にして１つの収容部内に基板と封止手段とを配置してもよい。
【００９２】
また封止手段８４は両ケース体８１，８２を閉鎖状態で封止でき、損壊部１０７を損壊しない限り両ケース体８１，８２を開放できないものであれば十分であり、実施形態に例示のものの他に各種構造の封止手段を適宜採用することができる。また封止手段８４はケース体８１，８２をその外側で封止するものでもよい。
【００９３】
両ケース体８１，８２はその内部に封印手段８５を配置できるものであれば他の形状、構造でもよい。封印手段８５のシール貼付体１０９、係合手段１１１の形状、構造も任意に変更可能である。また両ケース体８１，８２の内、第１ケース体８１側に直接的又は主制御基板３１等を介して間接的にシール貼付体１０９を設け、第２ケース体８２側に直接的又は主制御基板３１等を介して間接的に係合手段１１１を設けてもよい。逆に第１ケース体８１側に直接的又は主制御基板３１等を介して間接的に係合手段１１１を設け、第２ケース体８２側に直接的又は主制御基板３１等を介して間接的にシール貼付体１０９を設けてもよい。シール貼付体１０９に係合手段１１１の係合爪１１１ｂを設けてもよい。
【００９４】
またシール貼付体１０９を仮止めする仮止めは、比較的容易に離脱する爪構造にする等、他の仮止め形式を採用してもよい。また係合手段１１１にも他の構造を採用してもよい。例えば各実施形態では一対の係合爪１１１ｂを備えた係合手段１１１を例示しているが、その係合爪１１１ｂは１個でもよいし、周方向に３個配置してもよい。
【００９５】
更に各実施形態ではパチンコ機の主制御基板３１を収納する主制御基板ケース３２を例示しているが、主制御基板３１以外の各種基板、主制御基板ケース３２以外の各種基板ケースでも同様に実施可能である。またパチンコ機以外の弾球遊技機、更にはスロットマシン等の各種の遊技機においても同様に実施可能である。
【符号の説明】
【００９６】
３１  主制御基板
３２  主制御基板ケース
８１  第１ケース体
８２  第２ケース体
１０９  シール貼付体
１１０  封印シール
１１１  係合手段
１１４  係合部
１１５  仮止め部
１２４  破断部
【図１】
0005543993.tif 000002
【図２】
0005543993.tif 000003
【図３】
0005543993.tif 000004
【図４】
0005543993.tif 000005
【図５】
0005543993.tif 000006
【図６】
0005543993.tif 000007
【図７】
0005543993.tif 000008
【図８】
0005543993.tif 000009
【図９】
0005543993.tif 000010
【図１０】
0005543993.tif 000011
【図１１】
0005543993.tif 000012
【図１２】
0005543993.tif 000013
【図１３】
0005543993.tif 000014
【図１４】
0005543993.tif 000015
【図１５】
0005543993.tif 000016
【図１６】
0005543993.tif 000017
【図１７】
0005543993.tif 000018
【図１８】
0005543993.tif 000019
【図１９】
0005543993.tif 000020
【図２０】
0005543993.tif 000021
【図２１】
0005543993.tif 000022
【図２２】
0005543993.tif 000023
【図２３】
0005543993.tif 000024
【図２４】
0005543993.tif 000025
【図２５】
0005543993.tif 000026